(57)【要約】【課題】リモコン装置の操作性の向上を図ることが可能なテレビジョン装置およびテレビジョンシステムを提供する。【解決手段】リモコン装置１０２は、外部から受けた音声を外部音声信号に変換する第１の音声処理部２３と、複数個のボタンを含み、複数個のボタンの押下の有無をそれぞれ検出し、検出結果を表わす操作信号を生成する操作部２８と、外部音声信号および操作信号を無線信号に変換して送信する送信部２９とを含み、テレビジョン装置１０１は、リモコン装置１０２から無線信号を受信して外部音声信号および操作信号に変換する受信部１５と、外部音声信号および操作信号に基づいて、ネットワーク１０６へ電話信号を送信するネットワークインタフェース部８と、操作信号に基づいて、複数個のボタンが押下された形状または押下されていない形状をそれぞれ表示する表示部７とを含む。【選択図】図２
2008141487.tif 000002
【特許請求の範囲】
【請求項１】
テレビジョン装置と、リモコン装置とを備えるテレビジョンシステムであって、
前記リモコン装置は、
外部から受けた音声を外部音声信号に変換する第１の音声処理部と、
複数個のボタンを含み、前記複数個のボタンの押下の有無をそれぞれ検出し、前記検出結果を表わす操作信号を生成する操作部と、
前記外部音声信号および前記操作信号を無線信号に変換して送信する送信部とを含み、
前記テレビジョン装置は、
前記リモコン装置から前記無線信号を受信して前記外部音声信号および前記操作信号に変換する受信部と、
前記外部音声信号および前記操作信号に基づいて、ネットワークへ電話信号を送信するネットワークインタフェース部と、
前記操作信号に基づいて、前記複数個のボタンが押下された形状または押下されていない形状をそれぞれ表示する表示部とを含み、
前記テレビジョン装置は、さらに、
前記操作信号に基づいて、押下された前記ボタンに対応する操作音信号を生成する第２の音声処理部と、
前記操作音信号に基づいて音を発するスピーカとを含み、
前記複数個のボタンには、
電話モードまたはテレビモードの選択指示を与えるためのモード切り替えボタンと、
電話番号を入力するための数字ボタンとが含まれ、
前記受信部は、さらに、テレビジョン放送信号を受信し、
前記テレビジョン装置は、さらに、
前記受信したテレビジョン放送信号から映像信号を抽出する映像処理部を含み、
前記表示部は、前記操作信号に基づいて、前記電話モードが選択されている場合であって前記数字ボタンが押下されたときには、前記押下された数字ボタンに対応する数字と、前記複数個のボタンがそれぞれ押下された形状または押下されていない形状と、前記映像信号に基づく映像とを同時に表示し、
前記第２の音声処理部は、さらに、前記受信したテレビジョン放送信号からテレビジョン音声信号を抽出し、
前記スピーカは、前記操作信号に基づいて、前記抽出されたテレビジョン音声信号に基づく音声を前記電話モードが選択されている場合と前記テレビモードが選択されている場合とで異なる音量で発し、
前記表示部は、前記操作信号および前記外部音声信号に基づいて、前記電話モードが選択されている場合には、前記第１の音声処理部が受けた音声の音量を表わすインジケータと、前記複数個のボタンがそれぞれ押下された形状または押下されていない形状と、前記映像信号に基づく映像とを同時に表示するテレビジョンシステム。
【請求項２】
テレビジョン装置と、リモコン装置とを備えるテレビジョンシステムであって、
前記リモコン装置は、
外部から受けた音声を外部音声信号に変換する第１の音声処理部と、
複数個のボタンを含み、前記複数個のボタンの押下の有無をそれぞれ検出し、前記検出結果を表わす操作信号を生成する操作部と、
前記外部音声信号および前記操作信号を無線信号に変換して送信する送信部とを含み、
前記テレビジョン装置は、
前記リモコン装置から前記無線信号を受信して前記外部音声信号および前記操作信号に変換する受信部と、
前記外部音声信号および前記操作信号に基づいて、ネットワークへ電話信号を送信するネットワークインタフェース部と、
前記操作信号に基づいて、前記複数個のボタンが押下された形状または押下されていない形状をそれぞれ表示する表示部とを含むテレビジョンシステム。
【請求項３】
前記テレビジョン装置は、さらに、
前記操作信号に基づいて、押下された前記ボタンに対応する操作音信号を生成する第２の音声処理部と、
前記操作音信号に基づいて音を発するスピーカとを含む請求項２記載のテレビジョンシステム。
【請求項４】
前記複数個のボタンには、
電話モードまたはテレビモードの選択指示を与えるためのモード切り替えボタンと、
電話番号を入力するための数字ボタンとが含まれ、
前記表示部は、さらに、前記操作信号に基づいて、前記電話モードが選択されている場合であって前記数字ボタンが押下されたときには、前記押下された数字ボタンに対応する数字を表示する請求項２記載のテレビジョンシステム。
【請求項５】
前記受信部は、さらに、テレビジョン放送信号を受信し、
前記テレビジョン装置は、さらに、
前記受信したテレビジョン放送信号から映像信号を抽出する映像処理部を含み、
前記表示部は、前記操作信号に基づいて、前記複数個のボタンがそれぞれ押下された形状または押下されていない形状と、前記映像信号に基づく映像とを同時に表示する請求項２記載のテレビジョンシステム。
【請求項６】
前記複数個のボタンには、
電話モードまたはテレビモードの選択指示を与えるためのモード切り替えボタンと、
電話番号を入力するための数字ボタンとが含まれ、
前記受信部は、さらに、テレビジョン放送信号を受信し、
前記テレビジョン装置は、さらに、
前記受信したテレビジョン放送信号から映像信号を抽出する映像処理部を含み、
前記表示部は、前記操作信号に基づいて、前記電話モードが選択されている場合であって前記数字ボタンが押下されたときには、前記押下された数字ボタンに対応する数字と、前記複数個のボタンがそれぞれ押下された形状または押下されていない形状と、前記映像信号に基づく映像とを同時に表示する請求項２記載のテレビジョンシステム。
【請求項７】
前記複数個のボタンには、
電話モードまたはテレビモードの選択指示を与えるためのモード切り替えボタンが含まれ、
前記受信部は、さらに、テレビジョン放送信号を受信し、
前記テレビジョン装置は、さらに、
前記受信したテレビジョン放送信号からテレビジョン音声信号を抽出する第２の音声処理部と、
前記操作信号に基づいて、前記抽出されたテレビジョン音声信号に基づく音声を前記電話モードが選択されている場合と前記テレビモードが選択されている場合とで異なる音量で発するスピーカとを含む請求項２記載のテレビジョンシステム。
【請求項８】
前記複数個のボタンには、
電話モードまたはテレビモードの選択指示を与えるためのモード切り替えボタンが含まれ、
前記受信部は、さらに、テレビジョン放送信号を受信し、
前記テレビジョン装置は、さらに、
前記受信したテレビジョン放送信号から映像信号を抽出する映像処理部を含み、
前記表示部は、前記操作信号および前記外部音声信号に基づいて、前記電話モードが選択されている場合には、前記第１の音声処理部が受けた音声の音量を表わすインジケータと、前記複数個のボタンがそれぞれ押下された形状または押下されていない形状と、前記映像信号に基づく映像とを同時に表示する請求項２記載のテレビジョンシステム。
【請求項９】
リモコン装置によって遠隔操作されるテレビジョン装置であって、
前記リモコン装置は、
外部から受けた音声を外部音声信号に変換する第１の音声処理部と、
複数個のボタンを含み、前記複数個のボタンの押下の有無をそれぞれ検出し、前記検出結果を表わす操作信号を生成する操作部と、
前記外部音声信号および前記操作信号を無線信号に変換して送信する送信部とを含み、
前記テレビジョン装置は、
前記リモコン装置から前記無線信号を受信して前記外部音声信号および前記操作信号に変換する受信部と、
前記外部音声信号および前記操作信号に基づいて、ネットワークへ電話信号を送信するネットワークインタフェース部と、
前記操作信号に基づいて、前記複数個のボタンが押下された形状または押下されていない形状をそれぞれ表示する表示部とを含むテレビジョン装置。
【発明の詳細な説明】
【技術分野】
【０００１】
本発明は、テレビジョン装置およびテレビジョンシステムに関し、特に、電話機能を有するテレビジョン装置およびそれを備えたテレビジョンシステムに関する。
【背景技術】
【０００２】
テレビジョン装置の高機能化が進み、ＩＰ（Internet Protocol）電話等の電話機能を有するテレビジョン装置が開発されている（たとえば、特許文献１〜５参照）。電話機能を有するテレビジョン装置では、テレビジョン装置を遠隔操作するためのリモコン装置を用いてユーザが通話を行なうことが想定される。
【特許文献１】特開２００５−３９５４０号公報
【特許文献２】特開２００４−８０２８９号公報
【特許文献３】特開２００２−２８１１７４号公報
【特許文献４】特開２００５−１０９６６６号公報
【特許文献５】特開２００２−９９６８号公報
【発明の開示】
【発明が解決しようとする課題】
【０００３】
しかしながら、特許文献１〜５記載のテレビジョン装置では、リモコン装置の操作性の向上に対して十分な対策が講じられていない。
【０００４】
それゆえに、本発明の目的は、リモコン装置の操作性の向上を図ることが可能なテレビジョン装置およびテレビジョンシステムを提供することである。
【課題を解決するための手段】
【０００５】
上記課題を解決するために、本発明のある局面に係わるテレビジョンシステムは、テレビジョン装置と、リモコン装置とを備えるテレビジョンシステムであって、リモコン装置は、外部から受けた音声を外部音声信号に変換する第１の音声処理部と、複数個のボタンを含み、複数個のボタンの押下の有無をそれぞれ検出し、検出結果を表わす操作信号を生成する操作部と、外部音声信号および操作信号を無線信号に変換して送信する送信部とを含み、テレビジョン装置は、リモコン装置から無線信号を受信して外部音声信号および操作信号に変換する受信部と、外部音声信号および操作信号に基づいて、ネットワークへ電話信号を送信するネットワークインタフェース部と、操作信号に基づいて、複数個のボタンが押下された形状または押下されていない形状をそれぞれ表示する表示部とを含み、テレビジョン装置は、さらに、操作信号に基づいて、押下されたボタンに対応する操作音信号を生成する第２の音声処理部と、操作音信号に基づいて音を発するスピーカとを含み、複数個のボタンには、電話モードまたはテレビモードの選択指示を与えるためのモード切り替えボタンと、電話番号を入力するための数字ボタンとが含まれ、受信部は、さらに、テレビジョン放送信号を受信し、テレビジョン装置は、さらに、受信したテレビジョン放送信号から映像信号を抽出する映像処理部を含み、表示部は、操作信号に基づいて、電話モードが選択されている場合であって数字ボタンが押下されたときには、押下された数字ボタンに対応する数字と、複数個のボタンがそれぞれ押下された形状または押下されていない形状と、映像信号に基づく映像とを同時に表示し、第２の音声処理部は、さらに、受信したテレビジョン放送信号からテレビジョン音声信号を抽出し、スピーカは、操作信号に基づいて、抽出されたテレビジョン音声信号に基づく音声を電話モードが選択されている場合とテレビモードが選択されている場合とで異なる音量で発し、表示部は、操作信号および外部音声信号に基づいて、電話モードが選択されている場合には、第１の音声処理部が受けた音声の音量を表わすインジケータと、複数個のボタンがそれぞれ押下された形状または押下されていない形状と、映像信号に基づく映像とを同時に表示する。
【０００６】
また本発明のさらに別の局面に係わるテレビジョンシステムは、テレビジョン装置と、リモコン装置とを備えるテレビジョンシステムであって、リモコン装置は、外部から受けた音声を外部音声信号に変換する第１の音声処理部と、複数個のボタンを含み、複数個のボタンの押下の有無をそれぞれ検出し、検出結果を表わす操作信号を生成する操作部と、外部音声信号および操作信号を無線信号に変換して送信する送信部とを含み、テレビジョン装置は、リモコン装置から無線信号を受信して外部音声信号および操作信号に変換する受信部と、外部音声信号および操作信号に基づいて、ネットワークへ電話信号を送信するネットワークインタフェース部と、操作信号に基づいて、複数個のボタンが押下された形状または押下されていない形状をそれぞれ表示する表示部とを含む。
【０００７】
好ましくは、テレビジョン装置は、さらに、操作信号に基づいて、押下されたボタンに対応する操作音信号を生成する第２の音声処理部と、操作音信号に基づいて音を発するスピーカとを含む。
【０００８】
好ましくは、複数個のボタンには、電話モードまたはテレビモードの選択指示を与えるためのモード切り替えボタンと、電話番号を入力するための数字ボタンとが含まれ、表示部は、さらに、操作信号に基づいて、電話モードが選択されている場合であって数字ボタンが押下されたときには、押下された数字ボタンに対応する数字を表示する。
【０００９】
好ましくは、受信部は、さらに、テレビジョン放送信号を受信し、テレビジョン装置は、さらに、受信したテレビジョン放送信号から映像信号を抽出する映像処理部を含み、表示部は、操作信号に基づいて、複数個のボタンがそれぞれ押下された形状または押下されていない形状と、映像信号に基づく映像とを同時に表示する。
【００１０】
好ましくは、複数個のボタンには、電話モードまたはテレビモードの選択指示を与えるためのモード切り替えボタンと、電話番号を入力するための数字ボタンとが含まれ、受信部は、さらに、テレビジョン放送信号を受信し、テレビジョン装置は、さらに、受信したテレビジョン放送信号から映像信号を抽出する映像処理部を含み、表示部は、操作信号に基づいて、電話モードが選択されている場合であって数字ボタンが押下されたときには、押下された数字ボタンに対応する数字と、複数個のボタンがそれぞれ押下された形状または押下されていない形状と、映像信号に基づく映像とを同時に表示する。
【００１１】
好ましくは、複数個のボタンには、電話モードまたはテレビモードの選択指示を与えるためのモード切り替えボタンが含まれ、受信部は、さらに、テレビジョン放送信号を受信し、テレビジョン装置は、さらに、受信したテレビジョン放送信号からテレビジョン音声信号を抽出する第２の音声処理部と、操作信号に基づいて、抽出されたテレビジョン音声信号に基づく音声を電話モードが選択されている場合とテレビモードが選択されている場合とで異なる音量で発するスピーカとを含む。
【００１２】
好ましくは、複数個のボタンには、電話モードまたはテレビモードの選択指示を与えるためのモード切り替えボタンが含まれ、受信部は、さらに、テレビジョン放送信号を受信し、テレビジョン装置は、さらに、受信したテレビジョン放送信号から映像信号を抽出する映像処理部を含み、表示部は、操作信号および外部音声信号に基づいて、電話モードが選択されている場合には、第１の音声処理部が受けた音声の音量を表わすインジケータと、複数個のボタンがそれぞれ押下された形状または押下されていない形状と、映像信号に基づく映像とを同時に表示する。
【００１３】
上記課題を解決するために、本発明のある局面に係わるテレビジョン装置は、リモコン装置によって遠隔操作されるテレビジョン装置であって、リモコン装置は、外部から受けた音声を外部音声信号に変換する第１の音声処理部と、複数個のボタンを含み、複数個のボタンの押下の有無をそれぞれ検出し、検出結果を表わす操作信号を生成する操作部と、外部音声信号および操作信号を無線信号に変換して送信する送信部とを含み、テレビジョン装置は、リモコン装置から無線信号を受信して外部音声信号および操作信号に変換する受信部と、外部音声信号および操作信号に基づいて、ネットワークへ電話信号を送信するネットワークインタフェース部と、操作信号に基づいて、複数個のボタンが押下された形状または押下されていない形状をそれぞれ表示する表示部とを含む。
【発明の効果】
【００１４】
本発明によれば、リモコン装置の操作性の向上を図ることができる。
【発明を実施するための最良の形態】
【００１５】
以下、本発明の実施の形態について図面を用いて説明する。なお、図中同一または相当部分には同一符号を付してその説明は繰り返さない。
【００１６】
図１は、本発明の実施の形態に係るテレビジョンシステム２０１の構成を示す図である。
【００１７】
図１を参照して、テレビジョンシステム２０１は、テレビジョン装置１０１と、リモコン装置１０２とを備える。また、リモコン装置１０２にはヘッドセット１０３が取り付けられる。
【００１８】
テレビジョン装置１０１は、テレビジョン放送信号を受信し、受信したテレビジョン放送信号に基づいて映像を表示する。また、テレビジョン装置１０１は、受信したテレビジョン放送信号から、表示する映像に対応した音声信号（テレビジョン音声信号）を抽出し、抽出した音声信号に基づいて音声を発する。
【００１９】
テレビジョン装置１０１は、ネットワーク１０６を介して受信したインターネット電話信号を無線信号に変換してリモコン装置１０２へ送信する。インターネット電話信号には、音声および呼び出し音等が含まれる。なお、テレビジョン装置１０１は、テレビジョン無線信号を送信する送信部を内蔵する構成であってもよいし、ヘッドホン等を接続するための音声出力端子に無線機が接続される構成であってもよい。
【００２０】
リモコン装置１０２は、テレビジョン装置１０１から受信した無線信号を音声信号（外部音声信号）に変換し、変換した音声信号をヘッドセット１０３へ出力する。
【００２１】
リモコン装置１０２は、ユーザの操作に基づいて操作信号を生成し、生成した操作信号を無線信号である光信号に変換してテレビジョン装置１０１へ送信する。
【００２２】
たとえば、テレビジョン装置１０１およびリモコン装置１０２は、赤外線、Ｂｌｕｅｔｏｏｔｈ（登録商標）および無線ＬＡＮ（Local Area Network）等の通信方式を用いて無線信号を送受信する。
【００２３】
テレビジョン装置１０１は、リモコン装置１０２から受けた光信号に基づいて電源のオンオフおよびチャネルの変更等、テレビに関する動作を行なう。また、テレビジョン装置１０１は、リモコン装置１０２から受けた光信号に基づいて、ネットワーク１０６を介して他の装置へ発呼する等、ＩＰ電話に関する動作を行なう。
【００２４】
リモコン装置１０２は、ユーザの音声に基づいて音声信号（外部音声信号）を生成し、生成した音声信号を無線信号に変換してテレビジョン装置１０１へ送信する。
【００２５】
テレビジョン装置１０１は、リモコン装置１０２から受信した無線信号に基づいてネットワーク１０６を介して他の装置へインターネット電話信号を送信する。
【００２６】
図２は、本発明の実施の形態に係るテレビジョン装置の構成を示す機能ブロック図である。
【００２７】
図２を参照して、テレビジョン装置１０１は、放送信号受信部１と、デスクランブラ２と、ＡＶ（Audio Visual）デコーダ３と、音声処理部（第２の音声処理部）４と、スピーカ５と、映像処理部６と、ディスプレイ（表示部）７と、ネットワークＩ／Ｆ（インタフェース）部８と、操作入力部９と、リモコン受光部（受信部）１０と、ＣＰＵ（Central Processing Unit）１１と、ＲＡＭ（Random Access Memory）１２と、ＲＯＭ（Read Only Memory）１３と、増幅／ＡＤ（Analog Digital）変換部１４と、ジャック（コネクタ）Ｊ１とを含む。なお、テレビジョン装置１０１は、送受信部１５を含む構成であってもよい。
【００２８】
放送信号受信部１は、アンテナＡＮＴを介してスクランブル処理されたテレビジョン放送信号を受信し、デスクランブラ２へ出力する。なお、放送信号受信部１は、ネットワーク１０６を介してテレビジョン放送信号を受信する構成であってもよい。
【００２９】
デスクランブラ２は、放送信号受信部１から受けたテレビジョン放送信号に対してデスクランブル処理を行なうことによりスクランブル処理前の信号に復元し、復元後の信号をＡＶデコーダ３へ出力する。
【００３０】
ＡＶデコーダ３は、デスクランブラ２から受けた復元後の信号に対して復号処理を行ない、復号後の信号を音声処理部４および映像処理部６へ出力する。
【００３１】
映像処理部６は、ＡＶデコーダ３から受けた復号後の信号から映像信号を抽出し、抽出した映像信号をディスプレイ７へ出力する。ディスプレイ７は、映像処理部６から受けた映像信号に基づいて映像を表示する。
【００３２】
音声処理部４は、ＡＶデコーダ３から受けた復号後の信号から音声信号を抽出する、すなわち、ディスプレイ７が表示する映像に対応した音声信号を取得する。そして、音声処理部４は、抽出した音声信号をスピーカ５へ出力する。スピーカ５は、音声処理部４から受けた音声信号に基づいて音声を発する。
【００３３】
ネットワークインタフェース部８は、ネットワーク１０６から受信したインターネット電話信号をＣＰＵ１１へ出力する。
【００３４】
ＣＰＵ１１は、インターネット電話信号に対して復号処理を行ない、復号後の信号を音声処理部４へ出力する。なお、インターネット電話信号に対する復号処理を行なう必要がない場合には、ＣＰＵ１１は、インターネット電話信号をそのまま音声処理部４へ出力する。
【００３５】
音声処理部４は、ＣＰＵ１１から受けた復号後の信号から音声信号を抽出する。そして、音声処理部４は、抽出した音声信号をスピーカ５へ出力する。スピーカ５は、音声処理部４から受けた音声信号に基づいて音声を発する。また、音声処理部４は、抽出した音声信号をジャックＪ１を介して送受信部１５へ出力する。
【００３６】
送受信部１５は、音声処理部４から受けた音声信号を無線信号に変換してリモコン装置１０２へ送信する。また、送受信部１５は、リモコン装置１０２からの無線信号を受信して増幅／ＡＤ変換部１４へ出力する。送受信部１５は、たとえば無線ＬＡＮの標準規格であるＩＥＥＥ８０２．１１ａ／１１ｂ／１１ｇすなわちＷｉＦｉ（Wireless Fidelity）に対応している。
【００３７】
増幅／ＡＤ変換部１４は、送受信部１５から受けた信号を増幅し、増幅した信号をデジタル信号に変換し、ＣＰＵ１１へ出力する。
【００３８】
操作入力部９は、ユーザによるテレビジョン装置１０１におけるボタン押下等の操作を検出し、検出結果を表わす操作信号をＣＰＵ１１へ出力する。
【００３９】
リモコン受光部１０は、リモコン装置１０２から受信した無線信号である光信号をユーザによるリモコン装置１０２の操作内容を表わす操作信号に変換し、ＣＰＵ１１へ出力する。
【００４０】
ＣＰＵ１１は、増幅／ＡＤ変換部１４、操作入力部９およびリモコン受光部１０から受けた信号に基づいて、映像処理部６を制御してディスプレイ７に画像を表示し、また、音声処理部４を制御してスピーカ５から音声を発する。たとえば、ＣＰＵ１１は、増幅／ＡＤ変換部１４から受けたデジタル信号に対して所定の信号処理を行ない、信号処理後の信号を音声処理部４へ出力する。音声処理部４は、ＣＰＵ１１から受けた信号をリモコン装置１０２が受けたユーザの音声を表わす音声信号に変換し、変換した音声信号をスピーカ５へ出力する。なお、デジタル信号が音声信号そのものである場合には、音声信号は、ＣＰＵ１１および音声処理部４を介してスピーカ５へ出力される。
【００４１】
また、ＣＰＵ１１は、増幅／ＡＤ変換部１４、操作入力部９およびリモコン受光部１０から受けた信号に基づいてインターネット電話信号を生成し、ネットワークインタフェース部８へ出力する。インターネット電話信号には、通信相手となる他の装置に対応する電話番号およびリモコン装置１０２が受けたユーザの音声等が含まれる。
【００４２】
ネットワークインタフェース部８は、ＣＰＵ１１から受けたインターネット電話信号をネットワーク１０６を介して他の装置へ送信する。
【００４３】
図３は、本発明の実施の形態に係るリモコン装置の構成を示す機能ブロック図である。
図３を参照して、リモコン装置１０２は、受信部２１と、ＣＰＵ（制御部）２２と、音声処理部（第１の音声処理部）２３と、リモコン発光部（送信部）２４と、メモリ２７と、操作入力部２８と、ジャック（コネクタ）Ｊ２１とを含む。受信部２１および送信部２９は、たとえば無線ＬＡＮの標準規格であるＩＥＥＥ８０２．１１ａ／１１ｂ／１１ｇすなわちＷｉＦｉ（Wireless Fidelity）に対応している。
【００４４】
ジャックＪ２１には、ヘッドセット１０３が接続される。ジャックＪ２１には、イヤホンまたはヘッドホンが接続されてもよい。
【００４５】
ヘッドセット１０３は、ユーザの音声を電気信号に変換して音声処理部２３へ出力する。
【００４６】
音声処理部２３は、ヘッドセット１０３から受けた電気信号に所定の信号処理を行なって音声信号を生成し、ＣＰＵ２２を介して送信部２９へ出力する。
【００４７】
送信部２９は、ＣＰＵ２２から受けた音声信号を無線信号に変換してテレビジョン装置１０１へ送信する。
【００４８】
操作入力部２８は、複数個のボタンを含み、ユーザによる各ボタンの押下の有無を検出し、検出結果を表わす操作信号を生成し、ＣＰＵ２２を介してリモコン発光部２４へ出力する。
【００４９】
リモコン発光部２４は、ＣＰＵ２２から受けた操作信号を無線信号である光信号に変換してテレビジョン装置１０１へ送信する。
【００５０】
受信部２１は、テレビジョン装置１０１から受信した無線信号を受信し、受信信号としてＣＰＵ２２へ出力する。
【００５１】
ＣＰＵ２２は、受信部２１から受けた受信信号を音声処理部２３へ出力する。
音声処理部２３は、ＣＰＵ２２から受けた受信信号を音声信号に変換する。そして、音声処理部２３は、変換した音声信号をジャックＪ２１を介してヘッドセット１０３へ出力する。ヘッドセット１０３は、音声処理部２３から受けた音声信号に基づいて音声を発する。なお、リモコン装置１０２は、ヘッドセット１０３の代わりに、マイクおよびスピーカを内部に備える構成であってもよい。
【００５２】
図４は、本発明の実施の形態に係るリモコン装置１０２における操作入力部２８の外観図である。
【００５３】
図４を参照して、操作入力部２８は、数字ボタン部Ｂ１と、モード切替ボタンＢ２と、カーソルボタン部Ｂ３と、音量調整ボタンＢ４と、クリアボタンＢ５と、通話中止ボタンＢ６とを含む。
【００５４】
数字ボタン部Ｂ１は、テレビのチャネル番号および電話番号を入力するための１〜１２の数字に対応する１２個の数字ボタンを含む。１０〜１２の数字に対応する数字ボタンは、電話モードにおいてそれぞれ「０」、「＊」および「＃」として使用される。
【００５５】
モード切替ボタンＢ２は、電話モードまたはテレビモードの選択指示を与えるためのボタンである。
【００５６】
カーソルボタン部Ｂ３は、ディスプレイ７が表示する画面におけるカーソルを上下左右に移動させるための４個の方向ボタンと、確定操作を行なうための決定ボタンとを含む。
【００５７】
音量調整ボタンＢ４は、テレビジョン装置１０１のスピーカ５の音量調整を行なうためのボタンである。
【００５８】
図５は、本発明の実施の形態に係るテレビジョンシステム２０１の動作手順を定めたフローチャートである。
【００５９】
図６〜図１２（ａ）は、本発明の実施の形態に係るテレビジョン装置１０１の画面表示および外観を示す図である。図６〜図１２（ｂ）は、（ａ）に対応するリモコン装置１０２の外観を示す図である。
【００６０】
図５を参照して、ＣＰＵ１１は、リモコン受光部１０から受けた操作信号がモード切替ボタンＢ２の押下を表わし、かつ現在のモードがテレビモードである場合には（ステップＳ１でＹＥＳ）、電話モードへの切り替え処理を行なう。より詳細には、ＣＰＵ１１は、映像処理部６へ制御信号を出力する。映像処理部６は、ＣＰＵ１１から受けた制御信号に基づいて映像信号を生成し、ディスプレイ７へ出力する。ディスプレイ７は、映像処理部６から受けた映像信号に基づいて、テレビジョン放送信号に対応する映像を表示するとともに、操作入力部２８における複数個のボタンを含むリモコン装置１０２の外観を表示し、かつ押下されたモード切替ボタンＢ２の形状および操作入力部２８における押下されていない他のボタンの形状を表示する（ステップＳ２、図６（ａ）のＲ１）。なお、ディスプレイ７は、電話モードにおいて、テレビジョン放送信号に対応する映像を表示しない構成であってもよい。
【００６１】
また、ＣＰＵ１１は、映像処理部６およびディスプレイ７を制御して、画面に電話モードを表わす「ＩＰ電話」の文字を表示する（ステップＳ３、図６（ａ）のＲ２）。
【００６２】
そして、ＣＰＵ１１は、リモコン装置１０２における操作入力部２８のボタンが押下されるまで待機する（ステップＳ４でＮＯ）。また、ＣＰＵ１１は、リモコン装置１０２における操作入力部２８のボタンが押下された、すなわちリモコン受光部１０から受けた操作信号がボタンの押下を表わす場合であって（ステップＳ４でＹＥＳ）、押下されたボタンが電話操作に関するボタンでないときには（ステップＳ５でＮＯ）、リモコン装置１０２における操作入力部２８のボタンが再び押下されるまで待機する。
【００６３】
一方、ＣＰＵ１１は、リモコン装置１０２における操作入力部２８のボタンが押下された場合であって（ステップＳ４でＹＥＳ）、押下されたボタンが電話操作に関するボタンであるときには（ステップＳ５でＹＥＳ）、映像処理部６およびディスプレイ７を制御して、操作入力部２８における複数個のボタンの押下された形状または押下されていない形状を表示する。より詳細には、ＣＰＵ１１は、映像処理部６へ制御信号を出力する。映像処理部６は、ＣＰＵ１１から受けた制御信号に基づいて映像信号を生成し、ディスプレイ７へ出力する。ディスプレイ７は、映像処理部６から受けた映像信号に基づいて、操作入力部２８における複数個のボタンを含むリモコン装置１０２の外観を表示し、かつ操作入力部２８における複数個のボタンが押下された形状または押下されていない形状をそれぞれ表示する（ステップＳ６）。また、ＣＰＵ１１は、ユーザが押下を解除したことによりボタンが立ち上がったことをリモコン受光部１０から受けた操作信号が表わす場合には、映像処理部６およびディスプレイ７を制御して、押下されていたボタンの形状を押下されていない形状に変更し、そして、押下されていたボタンを所定時間点滅させる。
【００６４】
ＣＰＵ１１は、押下されたボタンが数字ボタン部Ｂ１における数字ボタンの場合であって（ステップＳ７）、ユーザがテレビジョンシステム２０１を用いて通話しているときには（ステップＳ８でＹＥＳ）、リモコン装置１０２における操作入力部２８のボタンが再び押下されるまで待機する（ステップＳ４）。
【００６５】
一方、ＣＰＵ１１は、押下されたボタンが数字ボタン部Ｂ１における数字ボタンの場合であって（ステップＳ７）、通話状態でないときには（ステップＳ８でＮＯ）、後述する図１３に示すダイアル処理を行なう。
【００６６】
また、ＣＰＵ１１は、押下されたボタンがカーソルボタン部Ｂ３における決定ボタンの場合であって（ステップＳ７）、ＲＡＭ１２にダイアル番号が保存されているときには（ステップＳ９でＹＥＳ）、後述する図１４に示す発呼処理を行なう。
【００６７】
一方、ＣＰＵ１１は、押下されたボタンがカーソルボタン部Ｂ３における決定ボタンの場合であって（ステップＳ７）、ＲＡＭ１２にダイアル番号が保存されていないときには（ステップＳ９でＮＯ）、リモコン装置１０２における操作入力部２８のボタンが再び押下されるまで待機する（ステップＳ４）。
【００６８】
また、ＣＰＵ１１は、押下されたボタンが通話中止ボタンＢ６の場合であって（ステップＳ７）、テレビジョン装置１０１が通話状態であるときには（ステップＳ１０でＹＥＳ）、後述する図１５に示す切断処理を行なう。なお、ＣＰＵ１１は、カーソルボタン部Ｂ３における決定ボタンがたとえば３秒以上押下された場合であって、テレビジョン装置１０１が通話状態であるときに、後述する図１５に示す切断処理を行なう構成であってもよい（図１１（ａ））。
【００６９】
一方、ＣＰＵ１１は、押下されたボタンが通話中止ボタンＢ６の場合であって（ステップＳ７）、テレビジョン装置１０１が通話状態でないときには（ステップＳ１０でＮＯ）、ＲＡＭ１２に保存されているダイアル番号を削除し（ステップＳ１１）、リモコン装置１０２における操作入力部２８のボタンが再び押下されるまで待機する（ステップＳ４）。
【００７０】
また、ＣＰＵ１１は、押下されたボタンが音量調整ボタンＢ４の場合には（ステップＳ７）、音声処理部４およびスピーカ５を制御して、テレビおよびＩＰ電話の音量を変更する（ステップＳ１３）。また、ＣＰＵ１１は、映像処理部６およびディスプレイ７を制御して、テレビの音量調整用画像Ｒ７、ＩＰ電話の音量調整用画像Ｒ８およびマイク感度調整用画像Ｒ９を画面に表示する（ステップＳ１４および図１２（ａ））。そして、ＣＰＵ１１は、リモコン装置１０２における操作入力部２８のボタンが再び押下されるまで待機する（ステップＳ４）。
【００７１】
図８を参照して、ＣＰＵ１１は、押下されたボタンがカーソルボタン部Ｂ３における方向ボタン、またはクリアボタンＢ５である場合には（ステップＳ７）、押下されたボタンの組み合わせに基づいてＲＡＭ１２に保存されている複数個のダイアル番号の１個を削除する等、ＲＡＭ１２に保存されているダイアル番号の内容を修正する（ステップＳ１５、図８（ａ）のＲ１およびＲ４）。
【００７２】
また、ＣＰＵ１１は、押下されたボタンがモード切り替えボタンＢ２の場合には（ステップＳ７）、テレビモードへの切り替え処理を行なう（ステップＳ１２）。
【００７３】
ＣＰＵ１１は、押下されたボタンが上記以外のボタンの場合には（ステップＳ７）、リモコン装置１０２における操作入力部２８のボタンが再び押下されるまで待機する（ステップＳ４）。
【００７４】
図１３は、本発明の実施の形態に係るテレビジョンシステム２０１が行なうダイアル処理の手順を定めたフローチャートである。
【００７５】
図１３を参照して、ＣＰＵ１１は、テレビジョン装置１０１が操作音出力先に設定されている場合には（ステップＳ２１）、音声処理部４を制御して、押下された数字ボタンに対応する音声をスピーカ５から発する。より詳細には、音声処理部４は、ＣＰＵ１１の制御に基づいて、押下された数字ボタンに対応する操作音信号を生成してスピーカ５へ出力する。スピーカ５は、音声処理部４から受けた操作音信号に基づいて音を発する（ステップＳ２２）。
【００７６】
ＣＰＵ１１は、リモコン装置１０２が操作音出力先に設定されている場合には（ステップＳ２１）、スピーカ５から音声を発しない。一方、リモコン装置１０２におけるＣＰＵ２２は、リモコン装置１０２が操作音出力先に設定されている場合には（ステップＳ２１）、音声処理部２３を制御して、押下された数字ボタンに対応する音声をヘッドセット１３から発する（ステップＳ２３）。
【００７７】
ＣＰＵ１１およびＣＰＵ２２は、テレビジョン装置１０１およびリモコン装置１０２が操作音出力先に設定されている場合には（ステップＳ２１）、押下された数字ボタンに対応する音声をスピーカ５およびヘッドセット１３からそれぞれ発する（ステップＳ２４）。
【００７８】
次に、ＣＰＵ１１は、押下された数字ボタンに対応する数字をダイアル番号として順次ＲＡＭ１２に保存する。そして、ＣＰＵ１１は、映像処理部６およびディスプレイ７を制御して、ＲＡＭ１２に保存している１個または複数個のダイアル番号を表示する（ステップＳ２５、図７（ａ）のＲ１およびＲ３）。
【００７９】
このように、押下された数字ボタンに対応する音声をテレビジョン装置１０１から発する構成、あるいはダイアル番号をテレビジョン装置１０１が表示する構成により、リモコン装置１０２の操作性の向上を図ることができる。
【００８０】
そして、ＣＰＵ１１は、リモコン装置１０２における操作入力部２８のボタンが再び押下されるまで待機する（ステップＳ４）。
【００８１】
図１４は、本発明の実施の形態に係るテレビジョンシステム２０１が行なう発呼処理の手順を定めたフローチャートである。
【００８２】
図１４を参照して、ＣＰＵ１１は、テレビジョン装置１０１が通話音出力先に設定されている場合には（ステップＳ３１）、スピーカ５から音声を発することを決定する（ステップＳ３２）。
【００８３】
ＣＰＵ１１は、リモコン装置１０２が通話音出力先に設定されている場合には（ステップＳ３１）、スピーカ５から音声を発しないことを決定する。一方、リモコン装置１０２におけるＣＰＵ２２は、ヘッドセット１３から音声を発することを決定する（ステップＳ３３）。
【００８４】
ＣＰＵ１１およびＣＰＵ２２は、テレビジョン装置１０１およびリモコン装置１０２が通話音出力先に設定されている場合には（ステップＳ３１）、スピーカ５およびヘッドセット１３からそれぞれ音声を発することを決定する（ステップＳ３４）。
【００８５】
ＣＰＵ１１は、テレビジョン装置１０１が通話音出力先に設定されている場合には（ステップＳ３１）、音声処理部４を制御して、通話開始通知音をスピーカ５から発する（ステップＳ３５）。
【００８６】
ＣＰＵ１１は、リモコン装置１０２が通話音出力先に設定されている場合には（ステップＳ３１）、スピーカ５から通話開始通知音を発しない。ＣＰＵ１１は、リモコン装置１０２が通話音出力先に設定されている場合には（ステップＳ３１）、音声処理部４および送受信部１５を制御して、リモコン装置１０２へ通話開始通知音を含む無線信号を送信する。リモコン装置１０２におけるＣＰＵ２２は、テレビジョン装置１０１から受信した通話開始通知音に基づいて音声処理部２３を制御して、通話開始通知音をヘッドセット１３から発する（ステップＳ３５）。
【００８７】
ＣＰＵ１１およびＣＰＵ２２は、テレビジョン装置１０１およびリモコン装置１０２が通話音出力先に設定されている場合には（ステップＳ３１）、通話開始通知音をスピーカ５およびヘッドセット１３からそれぞれ発する（ステップＳ３５）。
【００８８】
ＣＰＵ１１は、映像処理部６およびディスプレイ７を制御して、電話接続中を表わすアイコンをテレビジョン放送信号に対応する映像と同時に表示する（ステップＳ３６、図９（ａ）のＲ５）。
【００８９】
次に、ＣＰＵ１１は、ＲＡＭ１２に保存されたダイアル番号に電話をかける。すなわち、ＣＰＵ１１は、ＲＡＭ１２に保存されたダイアル番号を含むインターネット電話信号を生成し、ネットワークインタフェース部８へ出力する。ネットワークインタフェース部８は、ＣＰＵ１１から受けたインターネット電話信号をネットワーク１０６へ送信する（ステップＳ３７）。
【００９０】
そして、ＣＰＵ１１またはＣＰＵ２２は、通話音出力先の設定に応じて、接続音をスピーカ５およびヘッドセット１３の少なくともいずれか一方から発する（ステップＳ３８）。
【００９１】
また、ＣＰＵ１１は、音声処理部４およびスピーカ５を制御して、スピーカ５が発するテレビジョン放送信号に対応する音声の音量をテレビモード用の音量から電話モード用の音量に変更する。たとえば、スピーカ５は、テレビモードが選択されている場合と比べて電話モードが選択されている場合のテレビジョン放送信号に対応する音声の音量を小さくする（ステップＳ３９）。なお、テレビジョン装置１０１が左右の２個のスピーカを含む構成である場合、ＣＰＵ１１は、音像定位を利用して、テレビジョン放送信号に対応する音声および通話音の音量の関係を調整する構成とすることができる。
【００９２】
ＣＰＵ１１は、映像処理部６およびディスプレイ７を制御して、リモコン装置１０２が受けたユーザの音声の音量を表わすインジケータを、テレビジョン放送信号に対応する映像と同時に表示する（ステップＳ４０、図１０（ａ）のＲ６）。
【００９３】
なお、ＣＰＵ１１は、発呼処理後、数字ボタンをテレビのチャネル選択ボタンとして扱う構成であってもよい。このような構成により、通話状態においてテレビのチャネル切り替え等のテレビリモコン操作を行なうことができる。
【００９４】
図１５は、本発明の実施の形態に係るテレビジョンシステム２０１が行なう切断処理の手順を定めたフローチャートである。
【００９５】
図１５を参照して、ＣＰＵ１１は、ネットワークインタフェース部８を制御して、他の装置との電話接続を切断する（ステップＳ４１）。
【００９６】
ＣＰＵ１１またはＣＰＵ２２は、通話音出力先の設定に応じて、通話終了音をスピーカ５およびヘッドセット１３の少なくともいずれか一方から発する（ステップＳ４２）。
【００９７】
次に、ＣＰＵ１１は、テレビジョン装置１０１がテレビ音出力先に設定されている場合には（ステップＳ４３）、スピーカ５から音声を発することを決定する（ステップＳ４４）。
【００９８】
また、ＣＰＵ１１は、リモコン装置１０２がテレビ音出力先に設定されている場合には（ステップＳ４３）、スピーカ５から音声を発しないことを決定する。一方、リモコン装置１０２におけるＣＰＵ２２は、ヘッドセット１３から音声を発することを決定する（ステップＳ４５）。
【００９９】
また、ＣＰＵ１１およびＣＰＵ２２は、テレビジョン装置１０１およびリモコン装置１０２がテレビ音出力先に設定されている場合には（ステップＳ４３）、スピーカ５およびヘッドセット１３からそれぞれ音声を発することを決定する（ステップＳ４６）。
【０１００】
次に、ＣＰＵ１１は、音声処理部４およびスピーカ５を制御して、スピーカ５が発するテレビジョン放送信号に対応する音声の音量を電話モード用の音量からテレビモード用の音量に変更する（ステップＳ４７）。
【０１０１】
ところで、特許文献１〜５記載のテレビジョン装置では、リモコン装置の操作性の向上に対して十分な対策が講じられていない。しかしながら、本発明の実施の形態に係るテレビジョンシステムでは、ＣＰＵ１１は、リモコン装置１０２における操作入力部２８のボタンが押下された場合であって、押下されたボタンが電話操作に関するボタンであるときには、映像処理部６およびディスプレイ７を制御して、操作入力部２８における複数個のボタンの押下された形状または押下されていない形状を表示する。このように、リモコン装置単体のダイアル操作とテレビジョン装置の画面表示とを連動させる構成により、ユーザのダイアルミスを防止することができ、リモコン装置の操作性の向上を図ることができる。
【０１０２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０３】
【図１】本発明の実施の形態に係るテレビジョンシステム２０１の構成を示す図である。
【図２】本発明の実施の形態に係るテレビジョン装置の構成を示す機能ブロック図である。
【図３】本発明の実施の形態に係るリモコン装置の構成を示す機能ブロック図である。
【図４】本発明の実施の形態に係るリモコン装置１０２における操作入力部２８の外観図である。
【図５】本発明の実施の形態に係るテレビジョンシステム２０１の動作手順を定めたフローチャートである。
【図６】（ａ）本発明の実施の形態に係るテレビジョン装置１０１の画面表示および外観を示す図である。（ｂ）（ａ）に対応するリモコン装置１０２の外観を示す図である。
【図７】（ａ）本発明の実施の形態に係るテレビジョン装置１０１の画面表示および外観を示す図である。（ｂ）（ａ）に対応するリモコン装置１０２の外観を示す図である。
【図８】（ａ）本発明の実施の形態に係るテレビジョン装置１０１の画面表示および外観を示す図である。（ｂ）（ａ）に対応するリモコン装置１０２の外観を示す図である。
【図９】（ａ）本発明の実施の形態に係るテレビジョン装置１０１の画面表示および外観を示す図である。（ｂ）（ａ）に対応するリモコン装置１０２の外観を示す図である。
【図１０】（ａ）本発明の実施の形態に係るテレビジョン装置１０１の画面表示および外観を示す図である。（ｂ）（ａ）に対応するリモコン装置１０２の外観を示す図である。
【図１１】（ａ）本発明の実施の形態に係るテレビジョン装置１０１の画面表示および外観を示す図である。（ｂ）（ａ）に対応するリモコン装置１０２の外観を示す図である。
【図１２】（ａ）本発明の実施の形態に係るテレビジョン装置１０１の画面表示および外観を示す図である。（ｂ）（ａ）に対応するリモコン装置１０２の外観を示す図である。
【図１３】本発明の実施の形態に係るテレビジョンシステム２０１が行なうダイアル処理の手順を定めたフローチャートである。
【図１４】本発明の実施の形態に係るテレビジョンシステム２０１が行なう発呼処理の手順を定めたフローチャートである。
【図１５】本発明の実施の形態に係るテレビジョンシステム２０１が行なう切断処理の手順を定めたフローチャートである。
【符号の説明】
【０１０４】
１  放送信号受信部、２  デスクランブラ、３  ＡＶ（Audio Visual）デコーダ、４  音声処理部（第２の音声処理部）、５  スピーカ、６  映像処理部、７  ディスプレイ（表示部）、８  ネットワークＩ／Ｆ部、９  操作入力部、１０  リモコン受光部（受信部）、１１，２２  ＣＰＵ、１２  ＲＡＭ、１３  ＲＯＭ、１４  増幅／ＡＤ変換部、１５  送受信部、２１  受信部、２２  ＣＰＵ（制御部）、２３  音声処理部（第１の音声処理部）、２４  リモコン発光部（送信部）、２７  メモリ、２８  操作入力部、１０１  テレビジョン装置、１０２  リモコン装置、１０３  ヘッドセット、２０１  テレビジョンシステム、Ｂ１  数字ボタン部、Ｂ２  モード切替ボタン、Ｂ３  カーソルボタン部、Ｂ４  音量調整ボタン、Ｂ５  クリアボタン、Ｂ６  通話中止ボタン、Ｊ１，Ｊ２１  ジャック（コネクタ）。
【図１】
2008141487.tif 000003
【図２】
2008141487.tif 000004
【図３】
2008141487.tif 000005
【図４】
2008141487.tif 000006
【図５】
2008141487.tif 000007
【図６】
2008141487.tif 000008
【図７】
2008141487.tif 000009
【図８】
2008141487.tif 000010
【図９】
2008141487.tif 000011
【図１０】
2008141487.tif 000012
【図１１】
2008141487.tif 000013
【図１２】
2008141487.tif 000014
【図１３】
2008141487.tif 000015
【図１４】
2008141487.tif 000016
【図１５】
2008141487.tif 000017